(57)【要約】【課題】レンズ装置の光学系の制御用操作部材を備えた操作装置の所定の操作部材を防振装置の防振オン／オフスイッチ等の所定の防振装置の制御用操作部材の機能に変更することによって、通常のレンズ操作に支障をきたすことなく防振装置の操作を行えるようにした防振システムを提供する。【解決手段】テレビカメラ装置１０においてＥＮＧレンズであるレンズ装置１４にアダプタ式の防振装置１６を装着して防振システムを組み込んだ場合に、防振装置の防振機能のオン／オフを切り替える防振オン／オフスイッチがレンズ鏡胴１８に取り付けられている駆動ユニット２０の所定の操作部材に割り当てられる。【選択図】      図１
2006184444.tif 000002
【特許請求の範囲】
【請求項１】
像を結像する光学系の制御用操作部材を備えた操作装置と、
前記光学系に着脱可能に装着され、前記光学系に加わった振動による像振れを防止する防振機能を備えた防振装置と、
前記光学系の操作装置の所定の制御用操作部材の機能を前記防振装置の制御用操作部材の機能に変更する操作機能変更手段と、
前記操作機能変更手段によって前記防振装置の制御用操作部材の機能に変更された制御用操作部材の操作に応じた操作信号を前記操作装置から前記防振装置に送信する通信手段と、
を備え、前記操作機能変更手段によって前記防振装置の制御用操作部材の機能に変更された制御用操作部材によって前記防振装置を制御することを特徴とする防振システム。
【請求項２】
前記光学系と前記操作装置はレンズ装置として一体的に構成されていることを特徴とする請求項１の防振システム。
【請求項３】
前記操作機能変更手段は、前記防振装置に設けられると共に、前記操作装置の制御用操作部材のうちいずれの制御用操作部材の機能を前記防振装置の制御用操作部材の機能に変更するかを前記操作装置に指定する指定手段を備えたことを特徴とする請求項１又は２の防振システム。
【請求項４】
前記操作機能変更手段は、前記通信手段による前記操作信号の送信が可能になった際、又は、前記防振装置の電源がオンされた際に、前記操作装置の所定の制御用操作部材の機能を前記防振装置の制御用操作部材の機能に変更することを特徴とする請求項１、２、又は、３の防振システム。
【請求項５】
前記操作機能変更手段によって変更される前記防振装置の制御用操作部材の機能は、防振機能を有効又は無効に切り替える機能、及び、防振制御の内容が異なる複数の防振モードのうち所望の防振モードを選択する機能のうち少なくともいずれか一方の機能であることを特徴とする請求項１乃至４のうちいずれか１に記載の防振システム。
【発明の詳細な説明】
【技術分野】
【０００１】
本発明は防振システムに係り、特に振動によるカメラの像振れを補正（防止）する防振装置に関する。
【背景技術】
【０００２】
テレビカメラの防振装置として、撮影光学系に防振用の補正レンズを光軸と直交する面内で移動自在に配置し、カメラ（カメラの撮影光学系）に振動が加わると、その振動による像振れを打ち消すように補正レンズをアクチュエータで駆動して像振れを補正するようにしたものが知られている。像振れを打ち消すための補正レンズの変位量は、例えば、カメラに加わった振動を角速度センサによって検出し、その角速度センサから出力される角速度信号を積分処理することによって算出される。
【０００３】
また、レンズ交換式のカメラと撮影レンズ（レンズ装置）との間に装着されるアダプタ式の防振装置（防振アダプタ）が知られており、この防振装置によれば防振機能が搭載されていないレンズ装置を撮影に使用する場合であっても防振が可能となる。特許文献１では、このような防振装置において、防振機能をオン／オフするオン／オフスイッチや防振制御のモードを切り替えるモード切替スイッチ等の操作部材を防振装置の外周側面に設けることが提案されている。
【特許文献１】特開２００２−１５６６７７号公報
【発明の開示】
【発明が解決しようとする課題】
【０００４】
しかしながら、防振装置の操作部材が防振装置に外周側面に設けた場合であっても操作性が良くない場合もあった。例えば、取材等でテレビカメラを携帯する場合、肩乗せタイプの報道用カメラにその報道用カメラ用のポータブルレンズ（ＥＮＧレンズ）が使用される。ＥＮＧレンズは、光学系を構成する光学部品を保持すると共にフォーカス、ズーム、絞り等をマニュアル操作するための操作リングを備えたレンズ鏡胴と、それらの操作リングを電動操作するための駆動ユニットとから構成されており、レンズ鏡胴の側部にその駆動ユニットが装着されている。カメラマンは、報道用カメラを一方の肩（一般に右肩）に担ぎ、その担いだ方の手でＥＮＧレンズの駆動ユニットの把持部を把持することによってテレビカメラの保持すると共にテレビカメラの姿勢を調節している。また、駆動ユニットには、各種操作部材が設けられており、一般にズーム操作は、駆動ユニットを把持した手の指でズーム操作部材（ズームシーソーコントロールレバー）を操作することによって行っている。一方、フォーカス操作は、駆動ユニットを把持していない方の手（一般に左手）でレンズ鏡胴の操作リングを回動操作することによって行っている。
【０００５】
このようなテレビカメラにおいて上述のような防振装置を装着した場合、防振装置の外周側面に設けられた操作部材を操作するときには、いずれかの手を駆動ユニット又は操作リングから離す必要があるため、フォーカス操作やズーム操作等の通常のレンズ操作に支障をきたすという問題がある。
【０００６】
そこで、防振装置の操作部材のうち、頻繁に使用される操作部材を駆動ユニットに配置することができれば、駆動ユニットを把持した手でその操作部材を操作することができるため操作性の向上を図ることができる。しかしながら、駆動ユニットには既に多くの操作部材が配置されているため、現状では防振装置専用の操作部材を設けることは困難であり、またそのスペースを確保しようとすると駆動ユニットの大型化を招く不具合がある。一方、駆動ユニットに既に配置されている操作部材の中には使用頻度が少ないものもある。
【０００７】
本発明はこのような事情に鑑みてなされたもので、通常のレンズ操作に支障をきたすことなく防振装置の操作性の向上を図ることができる防振システムを提供することを目的とする。
【課題を解決するための手段】
【０００８】
前記目的を達成するために、請求項１に記載の防振システムは、像を結像する光学系の制御用操作部材を備えた操作装置と、前記光学系に着脱可能に装着され、前記光学系に加わった振動による像振れを防止する防振機能を備えた防振装置と、前記光学系の操作装置の所定の制御用操作部材の機能を前記防振装置の制御用操作部材の機能に変更する操作機能変更手段と、前記操作機能変更手段によって前記防振装置の制御用操作部材の機能に変更された制御用操作部材の操作に応じた操作信号を前記操作装置から前記防振装置に送信する通信手段と、を備え、前記操作機能変更手段によって前記防振装置の制御用操作部材の機能に変更された制御用操作部材によって前記防振装置を制御することを特徴としている。
【０００９】
本発明によれば、操作装置における光学系の制御用操作部材を防振装置の制御用操作部材に変更することができるため、操作装置を操作する手を防振装置に動かすことなく、光学系の操作（通常のレンズ操作）を行いながら、防振装置の所要の操作を行うことができる。従って、通常のレンズ操作に支障をきたすことなく防振装置の所要の操作を行うことができる。
【００１０】
請求項２に記載の防振システムは、請求項１に記載の発明において、前記光学系と前記操作装置はレンズ装置として一体的に構成されていることを特徴としている。取材等で携帯されるＥＮＧレンズのように例えば光学系を構成する撮影レンズのレンズ鏡胴の側部に、レンズ鏡胴の操作リングをモータ駆動すると共に各種操作部材を備えた駆動ユニットが設けられているレンズ装置は、本発明のように光学系と操作装置が一体的に構成されているレンズ装置である。この場合に請求項１のように駆動ユニットの操作部材の機能を防振装置の制御用操作部材の機能に変更すると駆動ユニットを把持した状態で防振装置の操作を行うことができる。
【００１１】
請求項３に記載の防振システムは、請求項１又は２に記載の発明において、前記操作機能変更手段は、前記防振装置に設けられると共に、前記操作装置の制御用操作部材のうちいずれの制御用操作部材の機能を前記防振装置の制御用操作部材の機能に変更するかを前記操作装置に指定する指定手段を備えたことを特徴としている。本発明によれば、防振装置の制御用操作部材の機能に変更する操作装置の制御用操作部材を使用者が指定できるため、状況に応じてレンズ操作に最も支障のない操作部材を防振装置の制御用操作部材として変更することができる。
【００１２】
請求項４に記載の防振システムは、請求項１、２、又は、３に記載の発明において、前記操作機能変更手段は、前記通信手段による前記操作信号の送信が可能になった際、又は、前記防振装置の電源がオンされた際に、前記操作装置の所定の制御用操作部材の機能を前記防振装置の制御用操作部材の機能に変更することを特徴としている。本発明は、光学系に防振装置が有効に取り付けられたことが確認された場合に操作装置の制御用操作部材の機能を防振装置の制御用操作部材の機能に変更するようにしたものである。
【００１３】
請求項５に記載の防振システムは、請求項１乃至４のうちいずれか１に記載の発明において、前記操作機能変更手段によって変更される前記防振装置の制御用操作部材の機能は、防振機能を有効又は無効に切り替える機能、及び、防振制御の内容が異なる複数の防振モードのうち所望の防振モードを選択する機能のうち少なくともいずれか一方の機能であることを特徴としている。防振機能を有効又は無効に切り替える操作や防振モードを切り替える操作は、防振装置の操作として操作頻度が高いため、特にこれらの操作を操作装置で行えるようにすると操作性が向上する。
【発明の効果】
【００１４】
本発明に係る防振システムによれば、通常のレンズ操作に支障をきたすことなく防振装置の操作性の向上を図ることができる。
【発明を実施するための最良の形態】
【００１５】
以下添付図面に従って本発明に係る防振システムの好ましい実施の形態について詳述する。
【００１６】
図１は、本発明に係る防振システムが装備されたテレビカメラ装置１０の側面図である。同図のテレビカメラ装置１０は、カメラ１２とレンズ装置１４とアダプタ式の防振装置１６とから構成されている。
【００１７】
カメラ１２は、肩乗せタイプの報道用カメラであり、レンズ装置１４及び防振装置１６の光学系を通過して結象された被写体像を撮像する撮像素子や、撮像素子から得られた撮像信号に所要の処理を施して所定形式の映像信号を生成する信号処理回路等が搭載されている。カメラ１２の下部には肩乗せ部３２が形成されており、二点鎖線で示すカメラマン３４がその肩乗せ部３２を右肩に乗載し、レンズ装置１４の後述する駆動ユニット２０の把持部を右手で把持することによってテレビカメラ装置１０が所望の姿勢で支持される。また、カメラ１２には撮影映像が表示されるファインダ３６が設けられており、カメラマン３４は右目でそのファインダ３６を覗くことによって撮影映像を確認することができる。
【００１８】
レンズ装置１４は、例えばズーム比が１０〜２２倍クラスのＥＮＧレンズであり、撮影光学系を構成するフォーカスレンズ（群）、ズームレンズ（群）、絞り（虹彩絞り機構）、リレーレンズ（群）等の各種光学部品を保持するレンズ鏡胴１８と、レンズ鏡胴１８の側部に装着された駆動ユニット２０から構成されている。
【００１９】
レンズ鏡胴１８には、フォーカスリング２２、ズームリング２４、アイリスリング２６が設けられており、フォーカスリング２２を回動操作すると、フォーカスレンズが光軸に沿って前後移動してピント位置が変化し、ズームリング２４を回動操作すると、ズームレンズが光軸に沿って前後移動して焦点距離が変化する。アイリスリング２６を回動操作すると、虹彩絞り機構の開口径が変更され、絞り値が変化するようになっている。また、レンズ鏡胴１８の後部にはエクステンダ２８が設けられており、エクステンダ切替レバー３０を回動操作することによって像倍率が例えば１倍と２倍とで切り替えられる。
【００２０】
レンズ装置１４の駆動ユニット２０は、レンズ装置１４を上面側から示した図２の上面図及びレンズ装置１４を背面側（カメラ１２側）から示した図３の背面図に示すようにレンズ鏡胴１８の側部に取り付けられており、その駆動ユニット２０のケーシング４０の内部には、レンズ鏡胴１８のフォーカスリング２２、ズームリング２４、アイリスリング２６の各々に係合したモータや各モータを駆動制御する回路部品等が内蔵されている。
【００２１】
駆動ユニット２０のケーシング４０の外面にはレンズ操作のための各種操作部材が設けられており、例えば、ケーシング４０の上面には、図２に示すようにズーム操作のためのズームシーソーコントロールレバー４２、カメラ１２のファインダ３６に対してＶＴＲからのリターン映像の表示をオン／オフするリターンスイッチ４４、必要なズーム位置やフォーカス位置をメモリに記憶させてその記憶させた位置にボタン操作１つで復帰させるワンショットプリセット機能とズームの移動範囲に制限を加えるズームリミット機能の操作スイッチとして兼用されるプリセットスイッチ（＆ズームリミットスイッチ）４６、４８、アイリスモードをオートとマニュアルとで切り替えるアイリスモード切替スイッチ５０、押している間だけアイリスモードをオートに切り替えるアイリスモーメンタリスイッチ５２等が設けられている。ケーシング４０の背面側には、図３に示すようにＶＴＲのスタート／ストップを操作するＶＴＲスイッチ５４、ズームを瞬時にテレ端に移動させるクイックズーム機能とズーム速度を一定に保持するオートクルージングズーム機能の操作スイッチとして兼用されるクイックズームスイッチ（＆オートクルージングズームスイッチ）５６等が設けられている。
【００２２】
図２に示すようにケーシング４０の側面にはバンド５８が架け渡される把持部６０が設けられており、その把持部６０を把持した手（右手）の指で駆動ユニット２０に設けられた各種操作スイッチを操作することができるようになっている。尚、一般にズーム操作は、駆動ユニット２０を把持した右手の指によってズームシーソーコントロールレバー４２を操作することによって行われる。一方、フォーカス操作は、フォーカスリング２２を直接手動で回動操作することによって行われ、カメラマンの左手はそのフォーカスリング２２の回動操作に用いられる。
【００２３】
また、駆動ユニット２０には、図３に示すようにカメラ１２に接続されるカメラ用ケーブル６２が設けられており、このカメラ用ケーブル６２を介してカメラ２０から電源の供給を受け、また、カメラ２０との間で各種信号の送受信が行われるようになっている。尚、図１に示すように駆動ユニット２０の下面側には、外部機器とシリアル通信を行うためのシリアルコネクタ６４が設けられており、そのシリアルコネクタ６４と、防振装置１６の後述のコネクタ１６２をケーブルで接続することによって防振装置１６との間で各種信号の送受信が行えるようになっている。
【００２４】
防振装置１６は、レンズ装置１４と別体に構成された付属装置であり、図４の防振装置１６の側面図と、防振装置１０を正面側（レンズ装置１４側）から示した図５の正面図とに示されているように防振装置１６の正面側にはレンズ側マウント部８０が設けられており、このレンズ側マウント部８０がレンズ装置１４のレンズ鏡胴１８の後端に設けられているマウント部６６（図１乃至図３参照）にバヨネット機構によって接続される。また、図４の側面図と防振装置１０を背面側（カメラ１２側）から示した図６の背面図とに示されている防振装置１６の背面側にはカメラ側マウント部８２が設けられており、このカメラ側マウント部８２がカメラ１２の前端のマウント部（不図示）にバヨネット機構によって接続される。これによって、カメラ１２とレンズ装置１４との間に防振装置１６が着脱可能に装着され、防振機能を備えていないレンズ装置１４を使用したテレビカメラ装置１０であっても防振システム（防振機能）を組み込むことができるようになっている。
【００２５】
防振装置１６は図４〜図６に示すように、縦長に形成された本体ケーシング８４を有し、この本体ケーシング８４の中央部から若干量上方よりに補正レンズ８６が内蔵されている。ここで、防振装置１６の防振機構を図７に基づいて説明する。防振装置１６の補正レンズ８６は、本体ケーシング８４内に配置されるとともに、レンズ保持枠８８に保持されて撮影光軸Ｐ上に取り付けられている。補正レンズ８６は、レンズ保持枠８８を図７上でＹ方向（鉛直方向）に移動させるＹ方向ボイスコイルモータ９０と、レンズ保持枠８８を図７上でＸ方向（水平方向）に移動させるＸ方向ボイスコイルモータ９２とによって撮影光軸Ｐと直交する面内でＸＹ方向に移動するようになっている。カメラ１２やレンズ装置１４に加わった振動の方向や大きさに応じて補正レンズ８６がＸＹ方向に移動することによってその振動によって生じる像ぶれが補正される。
【００２６】
Ｙ方向ボイスコイルモータ９０は、固定子９０Ａが本体ケーシング８４の内側面に固定され、可動子９０Ｂがプッシャー９４に支持されてＹ方向に移動する。プッシャー９４の両端部にはガイド９６、９６が設けられ、これらのガイド９６、９６の孔に、本体ケーシング８４にＹ方向に固定されたガイドバー９８、９８を挿入することによって、プッシャー９４がＹ方向に移動可能に支持される。また、プッシャー９４には、ガイドバー１００がＸ方向に沿って取り付けられ、このガイドバー１００に、レンズ保持枠８８の下縁に設けられた一対の軸受部１０２、１０２が摺動自在に嵌合されている。
【００２７】
一方、Ｘ方向ボイスコイルモータ９２は、固定子９２Ａが本体ケーシング８４の内側面に固定され、可動子９２Ｂがプッシャー１０４に支持されてＸ方向に移動される。プッシャー１０４の両端部にはガイド１０６、１０６が設けられ、これらのガイド１０６、１０６の孔に、本体ケーシング８４にＸ方向に固定されたガイドバー１０８、１０８を挿入することによって、プッシャー１０４がＸ方向に移動可能に支持される。また、プッシャー１０４には、ガイドバー１１０がＹ方向に沿って取り付けられ、このガイドバー１１０に、レンズ保持枠８８の側縁に設けられた一対の軸受部１１２、１１２が摺動自在に嵌合されている。
【００２８】
したがって、Ｘ方向ボイスコイルモータ９２の可動子９２ＢがＸ方向に移動すると、レンズ保持枠８８はプッシャー１０４に押し引きされるとともに、プッシャー９４のガイドバー１００にＸ方向にガイドされながらＸ方向に移動する。また、Ｙ方向ボイスコイルモータ９０の可動子９０ＢがＹ方向に伸縮動作すると、レンズ保持枠８８はプッシャー９４に押し引きされるとともに、プッシャー１０４のガイドバー１１０にＹ方向にガイドされながらＹ方向に移動する。これにより、補正レンズ８６がＹ方向ボイスコイルモータ９０及びＸ方向ボイスコイルモータ９２によって撮影光軸Ｐと直交する面内でＸＹ方向に移動するようになっている。
【００２９】
また、本体ケーシング８４内には、レンズ保持枠８８のＸ方向とＹ方向の各々の位置を検出するための位置センサ１１４、１１６、上下方向と左右方向の振動を検出する振動検出センサ１１８、１２０、ＣＰＵ等の防振装置１６の主要回路を搭載した主回路基板１２２等が配置されている。振動検出センサ１１８、１２０によってテレビカメラ装置１０に加わった振動が検出され、その検出信号に基づいて主回路基板１２２のＣＰＵがその振動による像振れを補正する補正レンズ８６のＸ方向とＹ方向の目標位置を算出する。そして、主回路基板１１１の駆動回路がその目標位置に補正レンズ８６が移動するように位置センサ１１４、１１６からの位置信号を参照しながらＹ方向ボイスコイルメータ９０とＸ方向ボイスコイルメータ９２を駆動する。これによって、像振れが防止される。
【００３０】
防振装置１６の本体ケーシング８４の外周面には、各種操作部材やコネクタ等が設けられている。図４に示すように本体ケーシング８４の正面側（レンズ装置１４側）から見て右側面１４０には、防振オン／オフスイッチ１４２、通信開始スイッチ１４４、外部スイッチセレクトダイヤル１４６、コネクタ１４８が設けられている。防振オン／オフスイッチ１４２は、防振機能の有効（オン）と無効（オフ）を選択するスイッチであり、防振オン／オフスイッチ１４２を押すごとに防振機能のオンとオフが循環的に切り替えられるようになっている。防振機能をオフすると、補正レンズ８６が光軸上に静止し、本体ケーシング８４の上面の傾斜面１５０に設けられた表示ランプ１５２が消灯する。防振機能をオンすると、補正レンズ８６が振動による像振れを打ち消すように動作するようになり、表示ランプ１５２が点灯する。
【００３１】
通信開始スイッチ１４４は、レンズ装置１４の駆動ユニット２０やカメラ１２との通信を開始させるためのスイッチである。また、防振装置１６には詳細を後述するように上記防振オン／オフスイッチ１４２と同等のスイッチ機能を駆動ユニット２０の操作スイッチに割り当てる外部スイッチ割当機能を備えており、外部スイッチセレクトダイヤル１４６は、その防振オン／オフスイッチを割り当てる操作スイッチを選択するもので例えば１〜３番までのスイッチ番号に対応した操作スイッチを選択することができるようになっている。外部スイッチセレクトダイヤル１４６を０番に設定した場合には、防振オン／オフスイッチの駆動ユニット２０への割り当ては行われない。
【００３２】
コネクタ１４８は、リモートコントロール用のコネクタであり、このコネクタ１４８に図示しないリモコン装置のケーブルを接続することによってそのリモコン装置で防振機能のオン／オフや防振モードの切替え等をリモコン操作することができきるようになっている。
【００３３】
また、図６に示すように本体ケーシング８４の背面側（カメラ１２側）から見て右側面１６０には、コネクタ１６２とケーブル１６４が設けられている。コネクタ１６２は、レンズ装置１４の駆動ユニット２０と接続するコネクタであり、このコネクタ１６２と駆動ユニット２０のシリアルコネクタ６４とをケーブルによって接続することによって駆動ユニット２０との間で各種信号のやり取りを行うことができ、また、カメラ１２から駆動ユニット２０に供給される電源（電力）が更に防振装置１６に供給されるようになっている。ケーブル１６４は、カメラ１２との通信を行うもので先端に設けられたコネクタ（不図示）がカメラ１２に接続される。尚、防振装置１６への電源の供給はこのケーブル１６４を通じてカメラ１２から直接行うようにすることもできる。
【００３４】
更に、図６に示すように本体ケーシング８４の背面側（カメラ１２側）には、防振特性切替スイッチ（防振モードの切替スイッチ）１６６、補正方向切替スイッチ１６８、レンズセレクトダイヤル１７０が取り付けられている。防振特性切替スイッチ１６６は、防振感度をＳＴＤモード（通常モード）とＨＩＧＨモード（高感度モード）とに切り替えるスイッチである。ＳＴＤモードとは、防振の効きが適度で防振特有の違和感が少ない防振モードであり、ＨＩＧＨモードとは、防振の効きを最優先した防振モードである。補正レンズ８６は、防振特性切替スイッチ１６６によって選択されたＳＴＤモード、又はＨＩＧＨモードで駆動されるように防振装置１６に内蔵されたＣＰＵによってその動作が制御される。
【００３５】
補正方向切替スイッチ１６８は、補正レンズ８６の振れ補正方向を鉛直・水平の両方向で実行するＶ＋Ｈ（Vertical and Horizontal ）モードと鉛直方向のみで実行するＶ（Vertical）モードとに切り替えるスイッチである。補正レンズ８６は、補正方向切替スイッチ１６８によって選択されたＶ＋Ｈモード、又はＶモードで駆動されるように防振装置１６に内蔵されたＣＰＵによってその動作が制御される。
【００３６】
レンズセレクトダイヤル１７０は、防振装置１６が取り付けられる様々な仕様のレンズ装置に対応して、その補正量（補正レンズ８６の移動量）を設定するダイヤルであり、そのレンズ装置に付されているナンバーを選択することにより、そのレンズ装置に対応した補正量で補正レンズ８６の動作が制御される。
【００３７】
次に、防振機能のオン／オフを切り替える防振オン／オフスイッチをレンズ装置１２の駆動ユニット２０の操作スイッチに割り当てる外部スイッチ割当機能について説明する。
【００３８】
図８は、防振装置１６と駆動ユニット２０における外部スイッチ割当機能に関連する構成部を示したブロック図である。同図に示すように、防振装置１６と駆動ユニット２０にはそれぞれＣＰＵ１８０、１９０とシリアルインターフェース回路１８２、１９２が搭載されている。上述のように防振装置１６のコネクタ１６２（図６参照）と駆動ユニット２０のシリアルコネクタ６４（図１参照）とがケーブルで接続されると、防振装置１６のシリアルインターフェース回路１８２と、駆動ユニット２０のシリアルインターフェース回路１９２との間がシリアル通信可能に接続され、それらのシリアルインターフェース回路１８２、１９２を介して防振装置１６のＣＰＵ１８０と駆動ユニット２０のＣＰＵ１９０との間で各種信号のやり取りが行えるようになっている。尚、防振装置１６と駆動ユニット２０との間の信号のやり取りはシリアル通信以外の通信手段であってもよく、例えばパラレル通信であってもよい。
【００３９】
防振装置１６には、上述のように通信開始スイッチ１４４や外部スイッチセレクトダイヤル１４６が設けられており、防振装置１６のＣＰＵ１８０によって通信開始スイッチ１４４のオン／オフ状態と外部スイッチセレクトダイヤル１４６の設定位置（スイッチ番号）が読み取られるようになっている。
【００４０】
防振装置１６のＣＰＵ１８０は、通信開始スイッチ１４４がオンされたことを検出すると、シリアルインターフェース回路１８２を介して駆動ユニット２０に通信開始のコマンドを送信する。駆動ユニット２０のＣＰＵ１９０はシリアルインターフェース回路１９２を介してそのコマンドを受信すると防振装置との通信を開始する。
【００４１】
また、上述のように外部スイッチセレクトダイヤル１４６では０〜３番までのスイッチ番号が選択可能となっており、防振装置１６のＣＰＵ１８０は、外部スイッチセレクトダイヤル１４６で選択されているスイッチ番号を読み取る。そして、選択されているスイッチ番号が０番の場合には、防振オン／オフスイッチを外部スイッチに割り当てる機能を無効にする。即ち、駆動ユニット２０に防振オン／オフスイッチの割当てを指示するコマンドを送信しない。
【００４２】
一方、選択されているスイッチ番号が１〜３番のうちのいずれかの番号のときには、通信開始後にそのスイッチ番号の操作スイッチへの防振オン／オフスイッチの割当てを指示するコマンドを駆動ユニット２０に送信する。
【００４３】
駆動ユニット２０のＣＰＵ１９０は、スイッチ番号の指定と共に防振オン／オフスイッチの割当てを指示するコマンドを受信すると、その指定されたスイッチ番号の操作スイッチを防振オン／オフスイッチとしての機能に変更する。
【００４４】
駆動ユニット２０では、防振装置１６から指定され得るスイッチ番号１、２、３に対して各スイッチ番号に対応する操作スイッチＳＷ１、ＳＷ２、ＳＷ３の種類が事前に設定されている。本実施の形態では、一例として、スイッチ番号１に対応する操作スイッチＳＷ１はプリセットスイッチ４６（図２参照）、スイッチ番号２に対応する操作スイッチＳＷ２はプリセットスイッチ４８（図２参照）、スイッチ番号３に対応する操作スイッチＳＷ３はクイックズームスイッチ５６（図２参照）に設定されているものとする。
【００４５】
尚、各スイッチ番号に対応せせる操作スイッチは、即ち、防振オン／オフスイッチとして選択可能な操作スイッチは、プリセットスイッチ４６、４８、クイックズームスイッチ５６以外にもアイリスモーメンタリ５２等の所望の操作スイッチを選択可能にすることができるが、一般的に撮影中の使用頻度が低いものを選択可能にすると好適である。また、各スイッチ番号に対応する操作スイッチの種類はユーザが変更できるようにしてもよいし、固定であってもよい。
【００４６】
ここで、スイッチ番号１の操作スイッチＳＷ１、即ち、プリセットスイッチ４６への防振オン／オフスイッチの割当てが指示されたとする。プリセットスイッチ４６（４８）は、本来、ズームやフォーカス位置を予めメモリに記憶させておき、ボタン操作一つでその記憶させた位置に復帰させることができるワンショットプリセット機能において位置の記憶の指示や記憶させた位置への復帰の指示を行うための操作スイッチである。ＣＰＵ１９０は、このプリセットスイッチ４６に防振オン／オフスイッチの機能を割り当てる。そして、プリセットスイッチ４６がオンされたときには、防振オン／オフスイッチがオンされたことを示すコマンドを防振装置に送信する。防振装置１６のＣＰＵ１８０は、そのコマンドを受信すると、防振機能のオン／オフを切り替える。これによって、駆動ユニット２０のプリセットスイッチ４６が防振オン／オフスイッチとして機能し、カメラマンは、駆動ユニット２０を把持した状態で通常のレンズ操作に支障をきたすことなく防振機能のオン／オフを切り替えることができる。
【００４７】
図９は、防振オン／オフスイッチの割当て時における防振装置１６のＣＰＵ１８０の処理手順を示したフローチャートである。電源投入後、ＣＰＵ１８は、通信開始スイッチ１４４がオンされると、レンズ装置１４の駆動ユニット２０との通信を開始する（ステップＳ１０）。続いて、外部スイッチセレクトダイヤル１４６の設定位置に基づいて駆動ユニット２０の所定の操作スイッチに防振オン／オフスイッチを割り当てるか否かを判定する。即ち、外部スイッチセレクトダイヤル１４６がスイッチ番号１〜３のいずれかに設定されているか否かを判定する（ステップＳ１２）。ＹＥＳと判定した場合には、そのスイッチ番号の操作スイッチに防振オン／オフスイッチを割り当てることを指示するコマンドを駆動ユニット２０に送信する（ステップＳ１４）。ステップＳ１２において、ＮＯと判定した場合には防振オン／オフスイッチの機能を割り当てることを指示するコマンドを送信しない。
【００４８】
以上の処理によって駆動ユニット２０の所定のスイッチ番号の操作スイッチに防振オン／オフスイッチを割り当てるコマンドが駆動ユニット２０に与えられる。
【００４９】
以上、上記実施の形態では、防振装置１６の通信開始スイッチ１４４がオンされてレンズ装置１４の駆動ユニット２０との通信が開始されると、駆動ユニット２０の操作スイッチへの防振オン／オフスイッチの割当てが行われるようになっているが、防振装置１６の電源がオンされると（レンズ装置１４又はカメラ１２から防振装置１６に電源が供給されると）、防振装置１６が自動でレンズ装置１４との通信を開始して駆動ユニット２０の操作スイッチへの防振オン／オフスイッチの割当てを行うようにしてもよい。
【００５０】
また、上記実施の形態では、駆動ユニット２０の操作スイッチに割り当てる防振装置の操作部材として、防振オン／オフスイッチを例としたが、これ以外の防振装置の制御に関する操作部材を駆動ユニット２０の操作スイッチに割り当てられるようにしてもよい。例えば、複数の防振モード（上記実施の形態では通常モードとＨＩＧＨモード）のうち所望の防振モードを選択する防振特性切替スイッチ（１６６）等も駆動ユニット２０の操作スイッチに割り当てるようにしてもよい。
【００５１】
また、上記実施の形態では、外部スイッチセレクトダイヤル１４６によって防振装置１６の操作部材を割り当てる駆動ユニット２０の操作部材を３つの操作部材のうちから選択できるようにしたが、選択可能にすることなく駆動ユニット２０の決められた特定の操作部材に防振装置１６の操作部材を割り当てるようにしてもよいし、また、２つ又は３つよりも多くの駆動ユニット２０の操作部材のうちから所望の操作部材を選択できるようにしてもよい。また、外部スイッチセレクトダイヤル１４６以外の手段、例えば、ディップスイッチ等で操作部材を選択できるようにしてもよい。
【００５２】
また、上記実施の形態では、レンズ装置１４がＥＮＧレンズの場合であり、光学系の制御に関する操作部材を備えた操作装置でもある駆動ユニット２０の操作部材に防振装置の制御に関する操作部材としての機能を割り当てるようにしたが、光学系の制御に関する操作部材を備えた操作装置がレンズ装置１４とは別体の場合であっても上記実施の形態と同様にその操作装置の操作部材に防振装置の制御に関する操作部材としての機能を割り当てるようにすれば有効である。
【図面の簡単な説明】
【００５３】
【図１】図１は、本発明に係る防振システムが装備されたテレビカメラ装置の側面図である。
【図２】図２は、レンズ装置を上面側から示した上面図である。
【図３】図３は、レンズ装置を背面側から示した背面図である。
【図４】図４は、防振装置を側面側から示した側面図である。
【図５】図５は、防振装置を正面側から示した正面図である。
【図６】図６は、防振装置を背面側から示した背面図である。
【図７】図７は、防振装置の防振機構の構成を示した構成図である。
【図８】図８は、防振装置と駆動ユニットにおける外部スイッチ割当機能に関連する構成を示したブロック図である。
【図９】図９は、防振オン／オフスイッチの割当て時における防振装置のＣＰＵの処理手順を示したフローチャートである。
【符号の説明】
【００５４】
１０…テレビカメラ装置、１２…カメラ、１４…レンズ装置、１６…防振装置、１８…レンズ鏡胴、２０…駆動ユニット、４６、４８…プリセットスイッチ、５６…クイックズームスイッチ、６４…シリアルコネクタ、６６…マウント部、８０…レンズ側マウント部、８２…カメラ側マウント部、８４…本体ケーシング、８６…補正レンズ、９０…Ｙ方向ボイスコイルモータ、９２…Ｘ方向ボイスコイルモータ、１４２…防振オン／オフスイッチ、１４４…通信開始スイッチ、１４６…外部スイッチセレクトダイヤル、１６２…コネクタ、１８０、１９０…ＣＰＵ
【図１】
2006184444.tif 000003
【図２】
2006184444.tif 000004
【図３】
2006184444.tif 000005
【図４】
2006184444.tif 000006
【図５】
2006184444.tif 000007
【図６】
2006184444.tif 000008
【図７】
2006184444.tif 000009
【図８】
2006184444.tif 000010
【図９】
2006184444.tif 000011